(57)【要約】      （修正有）【課題】積載能力を高めて新たな構成可能性を開始するために、この種のタイプの吊り掛け装置を提供する。【解決手段】吊り掛け装置は、作用形状１３と中間ウエブ１４との互いに完全に一致した格子を備える縦支柱１から成る。一次支持体２が縦支柱１に結合部材２１により吊り掛けできる。縦支柱１が作用形状１３を破断部として構成され、固定要素を各縦軸線を中心に偏向可能に配置されている。縦支柱１が縦中空形材であり、二つの対向位置する前面と二つの対向位置する側面を有する。縦線に交互に配列する作用形状１３と中間ウエブ１４との各側面に互いに完全に一致する格子がそれぞれに隣接する前面の近くに２重に設けられている。【選択図】図１Ａ
2009142638.tif 000002
【特許請求の範囲】
【請求項１】
ａ）前面（１１）と二つの側面（１２）並びに各側面（１２）に縦線に交互に配置された作用形状（１３）と中間ウエブ（１４）との互いに完全に一致した格子を備える縦支柱（１）と、
ｂ）縦支柱（１）に結合部材（２１）により吊り掛け可能な一次支持体（２）とから成り、
ｃ）作用形状（１３）に係止するために、結合部材（２１）には一対のばね支承された固定要素（２３）がそれぞれに一個のキー形状（２３１）を備えていて、
ｄ）結合部材（２１）が縦支柱（１）の前面（１１）並びに両側面（１２）を包含する吊り掛け装置において、
ｅ）縦支柱（１）が作用形状（１３）を破断部として構成され、固定要素（２３）を各縦軸線を中心に偏向可能に配置されていることを特徴とする吊り掛け装置。
【請求項２】
ａ）縦支柱（１）が縦中空形材であり、二つの対向位置する前面（１１）と二つの対向位置する側面（１２）を有し、そして
ｂ）各側面（１２）に互いに完全に一致する格子が縦線に交互に配列する作用形状（１３）と中間ウエブ（１４）とによりそれぞれに隣接する前面（１１）の近くに２重に設けられていることを特徴とする請求項１に記載の吊り掛け装置。
【請求項３】
ａ）各固定要素（２３）が第一保持部材（２３０）により結合部材（２１）を有するそれぞれ一つの窓状切り口（２５０）の縁に支持されていて、そして
ｂ）共通ばね（２２）の横アーム（２２２）におけるそれぞれ一つの固定要素（２３）が固定要素（２３）の第二保持部材（２３３）に移動自在に固定されていることを特徴とする請求項１或いは２に記載の吊り掛け装置。
【請求項４】
ａ）両固定要素（２３）に形成された両縦キー形状（２３１）の間の内幅が結合部材（２１）から外方に拡大されて、そして
ｂ）各キー形状（２３１）が縦支柱（１）の中間ウエブ（１４）に衝突するように上端に斜面（２３２）を有することを特徴とする請求項１乃至３のいずれか一項に記載の吊り掛け装置。
【請求項５】
ａ）ばね（２２）と両固定要素（２３）の組立てが外部材（２５）に係止できる挿入体（２４）により適切な位置に保持されて、
ｂ）挿入体（２４）が第一保持部材（２３０）を備える固定要素（２３）を収容するようにそれぞれ一つの拡大部（２４３）を備える窓状切り口（２４０）を有し、
ｃ）挿入体（２４）が外部材（２５）に固定するように保持部材（２４４）を有し、この保持部材が外部材（２５）の窓状切り口（２５０）に押し込まれ、そして
ｄ）挿入体（２４）が三面で一つの自由空間（２４５）を包囲し、この自由空間が縦支柱（１）の一部分を収容するように形成されていることを特徴とする請求項１乃至４のいずれか一項に記載の吊り掛け装置。
【請求項６】
挿入体（２４）と縦キー形状（２３１）は、
ａ）縦支柱（１）との接触の際にその表面を最小にするために摩耗防止表面を有し、    ｂ）特に合成樹脂から形成されるか、或いは合成樹脂被膜を備えていることを特徴とする請求項１乃至５のいずれか一項に記載の吊り掛け装置。
【請求項７】
ａ）縦支柱（１）とその縦支柱に吊り掛けできる一次支持体（２）により空いている架台或いは支持構造体に支持する構造が構成されていて、そして
ｂ）一次支持体（２）が二次支持体（３）を支持できることを特徴とする請求項１乃至６のいずれか一項に記載の吊り掛け装置。
【発明の詳細な説明】
【技術分野】
【０００１】
この発明は、例えば架台、板或いは建物部材のような支持構造体と結合されている形成された縦支柱と縦支柱にその結合部材により吊り掛けできる一次支持体とを備える吊り掛け装置に関する。一次支持体の結合部材は多面に構成されたジブと、例えば直線斜めに整合され、彎曲された或いは段をつけたアームと連結されて、直接或いは間接に例えば横ロッド或いは書棚板の構成の二次支持体を保持する。この種の装置が典型的には店に取付けるのに用いられる。
【背景技術】
【０００２】
欧州特許第１３１２２８７号明細書（特許文献１）は、前面、二つの側面と背面並びに形材に存在する作用形状（係合開口）を有する縦に配置する形材を備える吊り掛け装置を開示する。形材には、ブラケットが作用形状を補充する固定要素により吊り掛けできる。ブラケットは固定要素が配置されている包囲部材を有し、吊り掛けた状態に形材の前面並びに両側面をつかむ。固定要素はブラケットの包囲部材のクリップ部材にばねに支承された要素或いは固有弾性要素として設けられている。形材の作用形状が形材の側面に配置されていて、前面との関係に後方切断されている。作用形状が後方切断されてキー状スリットとして側面に形成されて、下に棚状段部を有し、横面の平面に上昇する斜め平面に漸次に流出する。側面上の作用形状が他の側面上の作用形状に対して対称的に配置されている。ブラケットにおける固定要素はそれぞれにばねに支承されたキーであり、それぞれにばねとキーが両面で形材を収容する余白に設けられている。ばねとキーは空所に互いに嵌め込むように保持される。特に、形材は好ましくは合成樹脂から成る作用形状を備える背面枠と前枠から成る。形材はロッド材料として或いは短い部材に少なくとも一対の作用形状により嵌め込まれる。この装置は実際に最も良く選定されたけれども、形材はいつも背面支持構造体に固定されて、より重い荷重には僅かにしか適さない。
【特許文献１】欧州特許第１３１２２８７号明細書
【発明の開示】
【発明が解決しようとする課題】
【０００３】
公知の先行技術の関係において、それ故に、この発明の課題は、積載能力を高めて新たな構成可能性を開始するために、この種のタイプの吊り掛け装置を開発することである。この際にさらに、縦支柱に複数の一次支持体を種々の高さに吊り掛けて、一次支持体の結合部材を異なって配置されたジブと結合させて二次支持体を保持することを可能とする。
【課題を解決するための手段】
【０００４】
吊り掛け装置は前面と二つの側面並びに各側面に縦線に交互に配置された作用形状（係合開口）と中間ウエブとの互いに完全に一致した格子（パターン）を備える縦支柱から成る。一次支持体は縦支柱に結合部材により吊り掛けできる。作用形状に係止するために、結合部材には、一対のばね支承された固定要素がそれぞれに一個のキー形状を備えている。結合部材が縦支柱の前面並びに両側面を包含する。縦支柱が中空形材であり、作用形状が破断部として構成されていて、固定要素が各一つの縦軸線を中心に偏向可能に配置されている。
【０００５】
次に、この発明の特殊な実施態様が、定義されている。縦支柱は四辺中空形材であり、二つの対向位置する前面と二つの対向位置する側面を有する。各側面に互いに完全に一致する格子（パターン）が縦線に交互に配列する作用形状と中間ウエブとによりそれぞれに隣接する前面の近くに２重に設けられている。
【０００６】
各固定要素が第一保持部材により結合部材を有するそれぞれ一つの窓状切り口の縁に支持されている。共通ばねの横アームにおけるそれぞれ一つの固定要素が固定要素の第二保持部材に移動自在に固定されている。両固定要素に形成された両縦キー形状の間の内幅が結合部材から外方に拡大される。各キー形状が縦支柱の中間ウエブに衝突するように上端に斜面を有する。
【０００７】
ばねと両固定要素の組立てが外部材に係止できる挿入体により適切な位置に保持される。挿入体が第一保持部材を備える固定要素を収容するためにそれぞれ一つの拡大部を備える窓状切り口を有する。挿入体が外部材に固定するために保持部材を有し、この保持部材が外部材の窓状切り口に押し込まれる。挿入体が三面で一つの自由空間を包囲し、この自由空間が縦支柱の一部分を収容するように形成されている。挿入体と縦キー形状は、縦支柱との接触の際にその表面を最小にするために摩耗防止表面を有し、特に合成樹脂から形成されるか、或いは合成樹脂被膜を備えている。縦支柱とその縦支柱に吊り掛けできる一次支持体により空いている架台或いは支持構造体に支持する構造が構成されている。一次支持体が二次支持体を支持できる。
【発明を実施するための最良の形態】
【０００８】
添付図面に基づいて、次に、異なった用途におけるこの発明の吊り掛け装置に対する実施例が詳細に説明記載される。
【０００９】
すべての別の記載には次の確定事項が適用される。明瞭性のために図に参照番号を備えているけれども、直接に付属する明細書テキストには説明されていないので、先行或いは後続する図の記述の言及に関連されている。見易さのため構成部材の繰り返された記号付けは、「繰り返される」構成部材が重要であることが図上で明白に認識出来る限り、別の図では少なくとも放棄される。
【実施例】
【００１０】
［図１Ａ乃至２Ｃ］
縦支柱１とその縦支柱に吊り掛けできる一次支持体２とから成るこの発明による吊り掛け装置は異なった構成に具現化されて、まず最初に空いている架台として（図１Ａ乃至１Ｃ）且つ背面支持構造体を支持する架台をとして（図２Ａ乃至２Ｃ）具現化される。架台には、その架台に据え付けられた縦支柱１が架台要素８により互いに連結されている或いは架橋されているか、或いは脚構造体として支持されている。縦支柱１は破断部（開口）の構成の作用形状１３とその作用形状の間に残留する中間ウエブ１４とから成る二列の格子（パターン）を備える四辺中空形材である。一次支持体２はその結合部材２１により縦支柱１に吊り掛けられている。結合部材２１から例えば直線、段になった或いは下方に傾斜した形態のジブが延びていて、横ロッド或いは書棚板の構成の二次支持体を支持する。設立した架台は、例えばプラカードのような取付け部材９を備えている。設立した架台を背壁に係留する際に、このために適した固定要素８が利用される。
【００１１】
［図３Ａと３Ｂ］
縦支柱１が四辺中空形材として二つの対向位置する前面１１と二つの対向位置する側面１２とを有する。各側面１２には、縦線に交互に配列する作用形状１３と中間ウエブ１４の互いに完全に一致して配置する格子（パターン）が二重にそれぞれに隣接した前面１１の近くに設けられている。縦支柱１の内部は中空空間である。側面１２は好ましくは前面１１より数倍幅広である。
【００１２】
［図４Ａ乃至７Ｂ］
一次支持体２は自由第一端２０１と第二端２０２を備えるジブ２０から成り、第二端に結合部材２１が当接し、この結合部材は垂直に立ちジブ２０から反対に向いて開放するＵ形材の構成の外部材２５を有する。この外部材２５は中間基面２５１とそれから曲げられた両側面２５２とを有し、その側面にそれぞれ一つの切り口２５０が存在する。それにより三面で自由空間が包囲されている。結合部材２１には、基面２２１と両横アーム２２２を備えるＵ状に彎曲されたばね２２が付属されて、横アームを通してそれぞれ一つの切抜部２２４が基面２２１にまで延びている。それぞれ二部材の横アーム２２２の端部には係止突起２２３が存在する。
【００１３】
対として設けられた固定要素２３が横に第一保持部材２３０を有し、第一保持部材に縦構成の内方に向いたキー形状２３１が継続する。結合部材２１から両キー形状２３１間の内幅が拡大し、各キー形状２３１の上端が内方に切断する斜面２３２を有する。両キー形状２３１の後部に溝として形成された第二保持部材２３３が位置し、第一保持部材に対して位置する端には固定要素２３が止め面２３４並びに案内部材２３５を有する。最終的に結合部材２１に、同様にＵ状である挿入体２４が付属される。第一保持部材２３０を備える固定要素２３を収容するために、挿入体２４が切り口２５０に対するカバー領域にはそれぞれ一つの拡大部２４３を備える外部材２５に窓状切り口２４０を有する。外部材２５に固定するために挿入体２４が保持部材２４４を備えていて、この保持部材が外部材２５の切り口２５０に押し込む。外部材２５に取付けた挿入体２４がばね２２と両固定要素２３から成る組合せを適切な位置に保持する。ばね２２のそれぞれ一対の係止突起２２３が固定要素２３における第二保持部材２３３に回転移動自在に係合する。挿入体２４は同様に三面で自由空間２４５を包囲し、この自由空間は縦支柱１の一部分を収容するように形成されている。挿入体２４とキー形状２３１は縦支柱１との接触の際にその表面を最小にするために摩耗防止表面を有する。挿入体２４とキー形状２３１は特に合成樹脂から形成されるか、或いは合成樹脂被覆部を有する。それ以上の摩擦を減少させるために、挿入体２４は側面２４２に内方に隆起した滑り形状を備えている。側面２４２の間に基面２４１が位置する。
【００１４】
据え付けた静止状態には、固定要素２３が拡大せずに切り口２４０、２５０に位置し、それ故に、外部材２５により外部連結して閉鎖する。拡大された状態では、即ち圧力がキー形状２３１に及ぼされるならば、固定要素２３が側面２５５と基面２５１の間の移行部から外部へ旋回する。この際にその外に基面２２１に対して直角に立つ側面２２２は弾性的に外方に彎曲されて、係止突起２２３に吊り掛けられ、固定要素２３が第二保持部材２３３により外部材２５の切り口２５０に支持される。固定要素２３の旋回によりキー形状２３１間の内幅が増大する。
【００１５】
［図８Ａ乃至１１］
これらの図順序では、縦支柱からソケットのように分離するまでの結合部材２１により一次支持体２を縦支柱１に吊り掛ける位相経過を説明している。
【００１６】
１位相（図８Ａと８Ｂ）
縦支柱１の前面１１の一方に最初に当てた結合部材２１の際にキー形状２３１が離れて押圧されて、つまり両固定要素２３が拡大される。キー形状２３１が作用形状１３を備える隣接した格子（パターン）の方向において材料表面を越えて縦支柱１にいわば水平に引き出る。外部でこれは外方に旋回する固定要素２３によって見ることができる。
【００１７】
２位相（図９）
幅広に移動された結合部材２１により固定要素２３が拡大された状態に残るけれども、キー形状２３１が縦支柱１の壁の破断部（開口）としての縦線に配置された作用形状１３に接近する。
【００１８】
３位相（図１０Ａ乃至１０Ｃ）
キー形状２３１が作用形状（係合開口）１３の縦線に達成されて、対のそのような形状１３の高さにあるならば、キー形状２３１がばね２２の力によって作用形状１３に係止する。キー形状２３１が一時的に対の形状１３の高さに立たないならば、把持された中間ウエブ１４を越えて次の対の形状１３までの結合部材２１の縦移動を必要とし、キー形状２３１が係止する。一次支持体２の自重によって、特にその荷重にて形状１３に進入するキー形状２３１が占めた作用形状１３の下端にて次の両中間ウエブ１４に載置される。
【００１９】
開放相（図１１）
図１０Ａ乃至１０Ｃによる係止した位置から結合部材２１が下方に移動できなく、水平に引き出されない。結合部材２１を、つまり一次支持体２を高さ位置に移動させるために、縦支柱１に沿う上昇移動のみを必要とする。この際にキー形状２３１における斜面２３２が次の高さに位置した中間ウエブ１４に移行して、この際に固定要素２３を拡大させるので、この状況において一次支持体２が縦支柱１から取り出される。
【図面の簡単な説明】
【００２０】
【図１Ａ】一次支持体とこの一次支持体により支持された横ロッドの形態の二次支持体を装備したこの発明の吊り掛け装置を備える空いている架台を斜視図で示す。
【図１Ｂ】図１Ａによる配列を側面図で示す。
【図１Ｃ】書棚板の構成の二次支持体を補充した図１Ａによる配列を斜視図で示す。
【図２Ａ】一次支持体とこの一次支持体により支持された横ロッドと書棚板の形態の二次支持体を装備したこの発明の吊り掛け装置を備える壁架台を斜視図で示す。
【図２Ｂ】図２Ａによる配列を前面図で示す。
【図２Ｃ】図１Ａによる配列を側面図で示す。
【図３Ａ】縦支柱を斜視図で示す。
【図３Ｂ】図３Ａから拡大された細部Ｘ１を示す。
【図４Ａ】直線ジブを備える一次支持体を斜視分解図で示す。
【図４Ｂ】図４Ａによる配列を上から見た変更された斜視図で示す。
【図４Ｃ】図４Ａによる配列を下から見た変更された斜視図で示す。
【図５Ａ】図４Ａからばねと両ウイングを斜視分解図で示す。
【図５Ｂ】図５Ａによる配列を斜視図で示す。
【図５Ｃ】図４Ａから外部材に挿入されて、ウイングを拡大せずにばねと両ウイングから成る組合せを斜視図で示す。
【図５Ｄ】ウイングを拡大した図５Ｃによる配列を斜視図で示す。
【図５Ｅ】図４Ａから挿入体を完成してウイングを拡大せずに図５Ｃによる配列を斜視図で示す。
【図６Ａ】図５Ｂによる配列をウイングを拡大せずに平面図で示す。
【図６Ｂ】図６Ａによる配列を結合部材に据え付けられ、ウイングを拡大せずに平面図で示す。
【図７Ａ】図６Ａによる配列をウイングを拡大した平面図で示す。
【図７Ｂ】図６Ｂによる配列をウイングを拡大した平面図で示す。
【図８Ａ】最初に当てた一次支持体を備える縦支柱を斜視図で示す。
【図８Ｂ】図８Ａによる配列を原理表示として水平断面で示す。
【図８Ｃ】図８Ａによる配列を原理表示として縦断面で示す。
【図９】幅広に当てた一次支持体を備える図８Ｂによる表示を示す。
【図１０Ａ】吊り掛けられた一次支持体を備える図８Ａによる表示を示す。
【図１０Ｂ】吊り掛けられた一次支持体を備える図８Ｂによる表示を示す。
【図１０Ｃ】吊り掛けられた一次支持体を備える図８Ｃによる表示を示す。
【図１１】図１０Ｃによる表示で掛け外す方向に移動された一次支持体を示す。
【符号の説明】
【００２１】
１．．．．．縦支柱
２．．．．．一次支持体
８．．．．．固定要素
９．．．．．取付け部材  
１１．．．．前面
１２．．．．側面
１３．．．．作用形状（係合開口）
１４．．．．中間ウエブ
２０．．．．ジブ
２１．．．．結合部材
２２．．．．ばね
２３．．．．固定要素  
２４．．．．挿入体
２５．．．．外部材
２３０．．．保持部材
２３１．．．キー形材
２４０．．．切り口
２４５．．．自由空間
２５０．．．切り口
【図１Ａ】
2009142638.tif 000003
【図１Ｂ】
2009142638.tif 000004
【図１Ｃ】
2009142638.tif 000005
【図２Ａ】
2009142638.tif 000006
【図２Ｂ】
2009142638.tif 000007
【図２Ｃ】
2009142638.tif 000008
【図３Ａ】
2009142638.tif 000009
【図３Ｂ】
2009142638.tif 000010
【図４Ａ】
2009142638.tif 000011
【図４Ｂ】
2009142638.tif 000012
【図４Ｃ】
2009142638.tif 000013
【図５Ａ】
2009142638.tif 000014
【図５Ｂ】
2009142638.tif 000015
【図５Ｃ】
2009142638.tif 000016
【図５Ｄ】
2009142638.tif 000017
【図５Ｅ】
2009142638.tif 000018
【図６Ａ】
2009142638.tif 000019
【図６Ｂ】
2009142638.tif 000020
【図７Ａ】
2009142638.tif 000021
【図７Ｂ】
2009142638.tif 000022
【図８Ａ】
2009142638.tif 000023
【図８Ｂ】
2009142638.tif 000024
【図８Ｃ】
2009142638.tif 000025
【図９】
2009142638.tif 000026
【図１０Ａ】
2009142638.tif 000027
【図１０Ｂ】
2009142638.tif 000028
【図１０Ｃ】
2009142638.tif 000029
【図１１】
2009142638.tif 000030